(57)【要約】【課題】柔軟性を維持して、液の拡散性と漏洩防止性能に優れた吸収体を備えたパッドを提供する。【解決手段】吸収体の身体面側である内面に、吸収体の幅方向に所定の間隔を隔てて長手方向に延在する複数の第１溝を形成し、吸収体の反身体面側である外面に、吸収体の長手方向に所定の間隔を隔てて幅方向に延在する複数の第２溝を形成し、断面視において、第１溝の下部と第２溝の上部が所定の間隔を隔てて離間して形成することにより解決される。【選択図】図９
2019063010.tif 000002
【特許請求の範囲】
【請求項１】
液透過性の表面シートと、液不透過性の裏面シートと、前記表面シートと裏面シートの間に設けられた吸収体を備えたパッドにおいて、
前記吸収体の身体面側である内面に、前記吸収体の幅方向に所定の間隔を隔てて長手方向に延在する複数の第１溝を形成し、
前記吸収体の反身体面側である外面に、前記吸収体の長手方向に所定の間隔を隔てて幅方向に延在する複数の第２溝を形成し、
断面視において、前記第１溝の下部と第２溝の上部が所定の間隔を隔てて離間して形成したことを特徴とするパッド。
【請求項２】
前記吸収体を、身体面側の内側吸収体と反身体面側の外側吸収体で形成し、
前記内側吸収体の吸収性ポリマーの含有率を、前記外側吸収体の吸収性ポリマーの含有率よりも高くし、
断面視において、前記第１溝の深さを、前記内側吸収体の厚み以上に形成した請求項１記載のパッド。
【請求項３】
前記第１溝と隣接する第１溝の幅方向の間隔を、前記吸収体の幅方向の中心部から左右側に設けるに従って広く形成した請求項１又は２記載のパッド。
【請求項４】
前記第２溝と隣接する第２溝の長手方向の間隔を、前記吸収体の括れ部に対応する部位における長手方向の中心部から前後側に設けるに従って広く形成した請求項１〜３のいずれか１項に記載のパッド。
【請求項５】
前記第１溝を、前記吸収体の長手方向の前端部の後側近傍部位から長手方向の後端部の前側近傍部位まで延在して形成した請求項１〜４のいずれか１項に記載のパッド。
【請求項６】
前記吸収体の幅方向の中心部よりも左側に設けられた第１溝を、右側の頂部から長手方向に延在するに従って幅方向の左側に湾曲させて形成し、
前記吸収体の幅方向の中心部よりも右側に設けられた第１溝を、左側の頂部から長手方向に延在するに従って幅方向の右側に湾曲させて形成した請求項１〜５のいずれか１項に記載のパッド。
【請求項７】
前記吸収体の括れ部に対応する部位における長手方向の中心部よりも前側に設けられた第２溝を、後側の頂部から幅方向に延在するに従って長手方向の前側に湾曲させて形成し、
前記吸収体の括れ部に対応する部位における長手方向の中心部よりも後側部位に設けられた第２溝を、前側の頂部から幅方向に延在するに従って長手方向の後側に湾曲させて形成した請求項１〜６のいずれか１項に記載のパッド。
【請求項８】
平面視で前記第１溝と第２溝が交差する部位の吸収体の繊維密度を他の部位よりも高く形成した請求項１〜７のいずれか１項に記載のパッド。
【発明の詳細な説明】
【技術分野】
【０００１】
本発明は、パッドに関するものであり、特に、柔軟性に優れ、液の拡散性能に優れたパッドに関するものである。
【背景技術】
【０００２】
従来、装着者の身体面側に位置する吸収体の内面に、吸収体の前後方向と幅方向に延在する第１溝を形成し吸収体を矩形状の吸収体に区画して、各矩形状の吸収体における反身体面側に位置する外面に円状等の第２溝を形成する手段が提案されている。（特許文献１）
【０００３】
また、吸収体の内面に、吸収体の前後方向に所定の間隔を隔てて左右方向に延在する第１溝を形成して、吸収体の外面に、吸収体の前後方向に所定の間隔を隔てて左右方向に延在する第２溝を形成し、平面視において第１溝と第２溝の位置を合わせる手段が提案されている。（特許文献２）
【先行技術文献】
【特許文献】
【０００４】
【特許文献１】特開２０１４−９７２４１号公報
【特許文献２】特開２０１６−３４５９８号公報
【発明の概要】
【発明が解決しようとする課題】
【０００５】
しかし、特許文献１の手段では、吸収体に移動してきた尿等の液が、吸収体の幅方向に延在して形成された第１溝によって幅方向に拡散して、吸収体の幅方向の左右端部から液が漏洩する恐れがある。
【０００６】
また、特許文献２の手段では、吸収体に移動してきた液を、吸収体の前後方向の前後部に迅速に拡散させることができず、また、液が、吸収体の幅方向に延在して形成された第１溝によって幅方向に拡散して、吸収体の幅方向の左右端部から液が漏洩する恐れがある。
【０００７】
そこで、本発明の課題は、柔軟性を維持して、液の拡散性と漏洩防止性能に優れた吸収体を備えたパッドを提供することにある。
【課題を解決するための手段】
【０００８】
上記課題を解決した手段は次記のとおりである。
第１手段は、液透過性の表面シートと、液不透過性の裏面シートと、前記表面シートと裏面シートの間に設けられた吸収体を備えたパッドにおいて、
前記吸収体の身体面側である内面に、前記吸収体の幅方向に所定の間隔を隔てて長手方向に延在する複数の第１溝を形成し、前記吸収体の反身体面側である外面に、前記吸収体の長手方向に所定の間隔を隔てて幅方向に延在する複数の第２溝を形成し、断面視において、前記第１溝の下部と第２溝の上部が所定の間隔を隔てて離間して形成したことを特徴とする。
【０００９】
第２手段は、第１手段の構成において、前記吸収体を、身体面側の内側吸収体と反身体面側の外側吸収体で形成し、前記内側吸収体の吸収性ポリマーの含有率を、前記外側吸収体の吸収性ポリマーの含有率よりも高くし、断面視において、前記第１溝の深さを、前記内側吸収体の厚み以上に形成したことを特徴とする。
【００１０】
第３手段は、第1又は２手段の構成において、前記第１溝と隣接する第１溝の幅方向の間隔を、前記吸収体の幅方向の中心部から左右側に設けるに従って広く形成したことを特徴とする。
【００１１】
第４手段は、第１〜３のいずれか１項の手段の構成において、前記第２溝と隣接する第２溝の長手方向の間隔を、前記吸収体の括れ部に対応する部位における長手方向の中心部から前後側に設けるに従って広く形成したことを特徴とする。
【００１２】
第５手段は、第１〜４のいずれか１項の手段の構成において、前記第１溝を、前記吸収体の長手方向の前端部の後側近傍部位から長手方向の後端部の前側近傍部位まで延在して形成したことを特徴とする。
【００１３】
第６手段は、第１〜５のいずれか１項の手段の構成において、前記吸収体の幅方向の中心部よりも左側に設けられた第１溝を、右側の頂部から長手方向に延在するに従って幅方向の左側に湾曲させて形成し、前記吸収体の幅方向の中心部よりも右側に設けられた第１溝を、左側の頂部から長手方向に延在するに従って幅方向の右側に湾曲させて形成したことを特徴とする。
【００１４】
第７手段は、第１〜６のいずれか１項の手段の構成において、前記吸収体の括れ部に対応する部位における長手方向の中心部よりも前側に設けられた第２溝を、後側の頂部から幅方向に延在するに従って長手方向の前側に湾曲させて形成し、前記吸収体の括れ部に対応する部位における長手方向の中心部よりも後側部位に設けられた第２溝を、前側の頂部から幅方向に延在するに従って長手方向の後側に湾曲させて形成したことを特徴とする。
【００１５】
第８手段は、第１〜７のいずれか１項の手段の構成において、平面視で前記第１溝と第２溝が交差する部位の吸収体の繊維密度を他の部位よりも高く形成したことを特徴とする。
【発明の効果】
【００１６】
第１手段によれば、吸収体の身体面側である内面に、吸収体の幅方向に所定の間隔を隔てて長手方向に延在する複数の第１溝を形成し、吸収体の反身体面側である外面に、吸収体の長手方向に所定の間隔を隔てて幅方向に延在する複数の第２溝を形成し、断面視において、第１溝の下部と第２溝の上部が所定の間隔を隔てて離間して形成したので、表面シートから吸収体に移動してきた尿等の液を第１溝によって吸収体の長手方向の前後部に迅速に拡散させることができる。また、吸収体は、剛性が小さく柔軟性に優れる第２溝を中心として内面に向けて容易に変形させることができる。さらに、吸収体の外面に幅方向に延在する第２溝が形成されているので、表面シートから吸収体に移動してきた液が吸収体の幅方向の左右端部から漏洩するのを抑制することができる。
【００１７】
第２手段によれば、第１手段による効果に加えて、吸収体を、身体面側の内側吸収体と反身体面側の外側吸収体で形成し、内側吸収体の吸収性ポリマーの含有率を、外側吸収体の吸収性ポリマーの含有率よりも高くし、断面視において、第１溝の深さを、内側吸収体の厚み以上に形成したので、第１溝からあふれ出した液の多くを第１溝に隣接する上側吸収体で吸収して液の逆戻りを抑制することができる。
【００１８】
第３手段によれば、第１又は２手段による効果に加えて、第１溝と隣接する第１溝の幅方向の間隔を、吸収体の幅方向の中心部から左右側に設けるに従って広く形成したので、第１溝を中心として吸収体の幅方向の左右側部を内面に向けて効率良く変形させることができる。
【００１９】
第４手段によれば、第１〜３のいずれかに記載の手段による効果に加えて、第２溝と隣接する第２溝の長手方向の間隔を、吸収体の括れ部に対応する部位における長手方向の中心部から前後側に設けるに従って広く形成したので、第２溝を中心として吸収体の長手方向の前後部を内面に向けて効率良く変形させることができる。
【００２０】
第５手段によれば、第１〜４のいずれかに記載の手段による効果に加えて、第１溝を、吸収体の長手方向の前端部の後側近傍部位から長手方向の後端部の前側近傍部位まで延在して形成したので、表面シートから吸収体に移動してきた液が吸収体の長手方向の前後端部から漏洩するのを抑制することができる。
【００２１】
第６手段によれば、第１〜５のいずれかに記載の手段による効果に加えて、吸収体の幅方向の中心部よりも左側に設けられた第１溝を、右側の頂部から長手方向に延在するに従って幅方向の左側に湾曲させて形成し、吸収体の幅方向の中心部よりも右側に設けられた第１溝を、左側の頂部から長手方向に延在するに従って幅方向の右側に湾曲させて形成したので、表面シートから吸収体に移動してきた液を第１溝によって吸収体の長手方向の前後部における幅方向の左右側部までに迅速に拡散させることができ、また、第１溝を中心として吸収体の幅方向の左右側部を内面に向けてより効率良く変形させることができる。
【００２２】
第７手段によれば、第１〜６のいずれかに記載の手段による効果に加えて、吸収体の括れ部に対応する部位における長手方向の中心部よりも前側に設けられた第２溝を、後側の頂部から幅方向に延在するに従って長手方向の前側に湾曲させて形成し、吸収体の括れ部に対応する部位における長手方向の中心部よりも後側部位に設けられた第２溝を、前側の頂部から幅方向に延在するに従って長手方向の後側に湾曲させて形成したので、第２溝を中心として吸収体の長手方向の前後部を内面に向けてより効率良く変形させることができる。
【００２３】
第８手段によれば、第１〜７のいずれかに記載の手段による効果に加えて、平面視で第１溝と第２溝が交差する部位の吸収体の繊維密度を他の部位よりも高く形成したので、第１溝２０を移動する液が第１溝と第２溝が交差する部位を介して第２溝内に移動するのを抑制して、吸収体の幅方向の左右端部から漏洩するのをより抑制することができる。
【図面の簡単な説明】
【００２４】
【図１】パッドの内面平面図である。
【図２】パッドの外面平面図である。
【図３】図１のＡ−Ａ断面図である。
【図４】図１のＢ−Ｂ断面図である。
【図５】図１のＣ−Ｃ断面図である。
【図６】立体ギャザーの説明図である。
【図７】第１実施形態の吸収体の内面平面図である。
【図８】第１実施形態の吸収体の外面平面図である。
【図９】図７の（ａ）はＡ−Ａ断面図であり、（ｂ）はＢ−Ｂ断面図である。
【図１０】第２実施形態の吸収体の内面平面図である。
【図１１】第２実施形態の吸収体の外面平面図である。
【図１２】図１０の（ａ）はＡ−Ａ断面図であり、（ｂ）はＢ−Ｂ断面図である。
【図１３】第３実施形態の吸収体の内面平面図である。
【図１４】第３実施形態の吸収体の外面平面図である。
【発明を実施するための形態】
【００２５】
＜第１実施形態のパッド＞
図１〜５に示すように、パンツタイプ等の使い捨ておむつに内装される第１実施形態のパッドは、装着者の身体面側に位置する内面側から順に液透過性の表面シート１１と、液を吸収する吸収体１２と、液不透過性の裏面シート１３と、不織布等からなる外装シート１４から形成されている。また、平面視において吸収体１２の幅方向の両側部には、立体ギャザー１５が設けられている。
【００２６】
吸収体１２は、装着者の股間部に対応する前後方向（請求項における「長手方向」）の略中間部に括れ部１２Ｄが形成されている。本明細書では、便宜的に、装着者の前身頃に対応する吸収体１２における括れ部１２Ｄよりも前後方向の前側部分を前身部１２Ｃと言い、装着者の後身頃に対応する吸収体１２における括れ部１２Ｄよりも前後方向の後側部分を後身部１２Ｅと言う。
【００２７】
外装シート１４の外面における前身部１２Ｃの前端部の位置には、幅方向に長辺を有する長方形状の前側係止部材１８Ａが設けられ、外装シート１４の外面における後身部１２Ｅの後端部の位置には、幅方向に長辺を有する長方形状の後側係止部材１８Ｂが設けられている。なお、本明細書では、便宜的に、前側係止部材１８Ａと後側係止部材１８Ｂを総称して係止部材１８と言う。
【００２８】
表面シート１１としては、有孔または無孔の不織布や多孔性プラスチックシート等が好ましい。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。表面シート１１に多数の透孔を形成した場合には、尿等が速やかに吸収されるようになり、ドライタッチ性に優れたものとなる。
【００２９】
表面シート１１の前後方向の前端部は、吸収体１２の前後方向の前端部よりも前側方向に延在して、裏面シート１３の前後方向の前端部に固定され、表面シート１１の前後方向の後端部は、吸収体１２の前後方向の後端部よりも後側方向に延在して、裏面シート１３の前後方向の後端部に固定されている。また、表面シート１１の幅方向の左端部は、吸収体１２の幅方向の左端部よりも左側方向に延在して、裏面シート１３の幅方向の左端部に固定され、表面シート１１の幅方向の右端部は、吸収体１２の幅方向の右端部よりも右側方向に延在して、裏面シート１３の幅方向の右端部に固定されている。
【００３０】
吸収体１２としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。吸収体１２は、高吸収性ポリマー等の脱落を防止するために、液透過性のクレープ紙等によって包装されている。
【００３１】
括れ部１２Ｄの前後方向の長さは、吸収体１２の前後方向の長さ方向の２０〜５０％に形成し、括れ部１２Ｄの幅方向の最狭幅を吸収体１２の幅方向の幅の４０〜６０％に形成されている。これにより、装着者にパッドを密着させフィット性能を向上させることができる。
【００３２】
裏面シート１３としては、ポリエチレンまたはポリプロピレン等の液不透過性プラスチックシートが用いられるが、近年はムレ防止の点から透湿性を有するものが好ましい。遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。また、裏面シート１３の外面には、外装シート１４が固定されている。
【００３３】
外装シート１４としては、有孔または無孔の不織布や多孔性プラスチックシート等が好ましい。不織布を構成する素材繊維は、表面シート１１と同一の素材繊維を使用することができる。
【００３４】
立体ギャザー１５は、外装シート１４の幅方向の側部に固定された固定部と、固定部から吸収体１２等の幅方向の側部を超えて表面シート１１の内面側まで延在する本体部から形成されている。本体部の前後方向の前後部は、表面シート１１の内面に固定され、本体部の前後方向の中間部は、表面シート１１に固定されず内面に向かって起立する。また、立体ギャザー１５は、２重のギャザーシート１６と前後方向に延在する細長状のギャザー弾性部材１７から形成されている。
【００３５】
ギャザーシート１６としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザーシート１６については、尿等の透過を防止するとともに、カブレを防止しかつ肌への感触性（ドライ感）を高めるために、シリコーン系、パラフィン金属系、アルキルクロミッククロライド系撥水剤等をコーティングした撥水処理不織布を用いるのが好ましい。
【００３６】
ギャザー弾性部材１７としては、通常使用されるスチレン系ゴム、オレフィン系ゴム、ウレタン系ゴム、エステル系ゴム、ポリウレタン、ポリエチレン、ポリスチレン、スチレンブタジエン、シリコーン、ポリエステル等の素材を用いることができる。外側から見え難くするために、太さは９２５ｄｔｅｘ以下、伸長率は１５０〜３５０％、間隔は１０．０ｍｍ以下とするのが好ましい。
【００３７】
図６に示すように、ギャザー弾性部材１７は、その伸縮力によって立体ギャザー１５を内面に向かって起立させ、糸状の他、所定の幅を有するテープ状のものを用いることもできる。また、伸長率は、伸長時の長さ／自然長の長さ×１００[％]で算出している。
【００３８】
係止部材１８としては、メカニカルファスナーのフック材が好ましい。フック材の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。また、フック材に替えて粘着剤層を用いることもできる。
【００３９】
図７，８に示すように、吸収体１２の内面には、前後方向に延在する複数の断面形状が凹形状の第１溝２０が形成され、吸収体１２の外面には、幅方向に延在する複数の断面形状が凹形状の第２溝２５が形成されている。これにより、表面シート１１から吸収体１２に移動してきた尿等の液を第１溝２０によって吸収体１２の前後方向の前後部に迅速に拡散させることができるので、吸収体１２の吸収性能を高めることができる。また、吸収体１２は、剛性が小さい第２溝２５において内面に向けて容易に変形させることができので、吸収体１２の装着者に対するフィット性能を高めることができる。さらに、吸収体１２の内面には幅方向に延在する溝が形成されていないので、表面シート１１から吸収体１２に移動してきた液が吸収体１２の幅方向の左右端部から漏洩するのを抑制することができる。
【００４０】
吸収体１２の内面には、吸収体１２の幅方向の中心部に、吸収体１２の前後方向の前後端部まで延在する第１溝２０（便宜的に第１溝２０Ａと言う）と、第１溝２０Ａの幅方向の左側部に幅方向に所定の間隔を隔てて吸収体１２の前後方向の前後端部まで延在する第１溝２０（便宜的に第１溝２０Ｂと言う）と、第１溝２０Ａの幅方向の右側部に幅方向に所定の間隔を隔てて吸収体１２の前後方向の前後端部まで延在する第１溝２０（便宜的に第１溝２０Ｃと言う）と、第１溝２０Ｂの幅方向の左側部に幅方向に所定の間隔を隔てて吸収体１２の前後方向の前後端部まで延在する第１溝２０（便宜的に第１溝２０Ｄと言う）と、第１溝２０Ａの幅方向の右側部に幅方向に所定の間隔を隔てて吸収体１２の前後方向の前後端部まで延在する第１溝２０（便宜的に第１溝２０Ｅと言う）から形成されている。また、第１溝２０Ａと第１溝２０Ｂの幅方向の間隔は、第１溝２０Ｂと第１溝２０Ｄの幅方向の間隔よりも狭く形成され、第１溝２０Ａと第１溝２０Ｃの幅方向の間隔は、第１溝２０Ｃと第１溝２０Ｅの幅方向の間隔よりも狭く形成されている。これにより、第１溝２０Ａを中心として吸収体１２の幅方向の両側部を内面に向けてより効率良く変形させることができる。
【００４１】
図７，８には、第１溝２０を吸収体１２の前後方向の前後端部まで延在して形成した形態が図示されているが、第１溝２０を吸収体１２の前後方向の前後端部まで延在させず、吸収体１２の前後方向の前端部の近傍から後端部の近傍まで延在させることができる。これにより、表面シート１１から吸収体１２に移動してきた液が吸収体１２の前後方向の前後端部から漏洩するのを抑制することができる。また、図７，８には、第１溝２０を吸収体１２の前後方向の前後端部まで延在して形成した形態が図示されているが、第１溝２０を吸収体１２の前身部１２Ｃや後身部１２Ｅに位置する部位で複数本に枝別れして形成することもできる。これにより、表面シート１１から吸収体１２に移動してきた液を第１溝２０によって吸収体１２の前後方向の前後部により迅速に拡散させることができる。
【００４２】
吸収体１２の外面には、吸収体１２の前後方向に所定の間隔を隔てて、吸収体１２の幅方向の左右端部まで延在する第２溝２５が形成されている。これにより、吸収体１２を前後方向の前端部から後端部まで容易に内面に向けて変形させることができる。
【００４３】
図７，８には、第２溝２５を吸収体１２の前後方向に所定の間隔を隔てて形成した形態が図示されているが、吸収体１２の括れ部１２Ｄに位置する部位の第２溝２５の前後方向に間隔を、吸収体１２の前身部１２Ｃや後身部１２Ｅに位置する部位の第２溝２５の前後方向に間隔よりも狭くすることもできる。これにより、吸収体１２の括れ部１２Ｄに位置する部位をより容易に内面に向けて変形させることができる。
【００４４】
図９に示すように、第１溝２０の最も外面側に位置する下部２１は、第２溝２５の最も内面側に位置する上部２６よりも内面側に位置している。つまり、断面視において、第１溝２０の下部２１と第２溝２５の上部２６は所定の間隔を隔てて離間している。言い換えれば、第１溝２０の深さＤ１と第２溝２５の深さＤ２を加算した深さ（便宜的に合計深さＴ３と言う）を吸収体１２の厚みＴよりも小さく形成している。これにより、第１溝２０を移動している液が直接に第２溝２５に移動することを防止して、液が吸収体１２の幅方向の左右端部から漏洩するのを抑制することができる。なお、第１溝２０の深さＤ１は、第２溝２５の深さＤ２よりも深く形成されている。これにより、表面シート１１から吸収体１２に移動してきた液の吸収体１２の前後方向の前後端部への高い拡散性能を確保することができる。
【００４５】
第１溝２０と第２溝２５は、エンボス加工によって形成されているが、吸収体１２の第１溝２０と第２溝２５が形成される部位のパルプ繊維量、高吸収性ポリマー量を少なくして形成することもできる。
【００４６】
エンボス加工によって第１溝２０と第２溝２５を形成した場合は、第１溝２０の下部２１よりも外面側に位置する部位の吸収体１２の繊維密度が他の部位に比較して高く形成され、第２溝２５の上部２６よりも内面側に位置する部位の吸収体１２の繊維密度が他の部位に比較して高く形成され、平面視で第１溝２０と第２溝２５が交差する部位の繊維密度が最も高く形成される。これにより、第１溝２０と第２溝２５が交差する部位の厚みは最も薄く形成されるが、第１溝２０内を移動する液が、第１溝２０と第２溝２５が交差する部位を介して第２溝２５内に移動するのを効率良く抑制することができる。
【００４７】
＜第２実施形態のパッド＞
次に、第２実施形態のパッドについて説明する。なお、第１実施形態のパッドと同一部材には、同一符号を付して説明を省略する。
【００４８】
図１０，１１に示すように、第２実施形態の吸収体１２は、装着者の身体面側に位置する内側吸収体１２Ａと、反身体面側に位置する外側吸収体１２Ｂから形成されている。内側吸収体１２Ａは、外側吸収体１２Ｂよりも高吸収性ポリマーの含有率を高くして形成されている。これにより、内側吸収体１２Ａは、外側吸収体１２Ｂよりも多量の液を吸収することができる。
【００４９】
内側吸収体１２Ａの内面には、詳細には、内側吸収体１２Ａの内面から外側吸収体１２Ｂの内面に亘って、第１溝２０が形成され、外側吸収体１２Ｂの外面には、第２溝２５が形成されている。
【００５０】
図１２に示すように、第１溝２０の深さＤ１は、上側吸収体１２Ａの厚みＴ１よりも大きく形成されている。これにより、第１溝２０からあふれ出した液の多くを第１溝２０に隣接する上側吸収体１２Ａで吸収するので、液の逆戻りを抑制することができる。なお、図１２には、第１溝２０の深さＤ１が上側吸収体１２Ａの厚みＴ１よりも大きな形態が図示されているが、第１溝２０の深さＤ１を上側吸収体１２Ａの厚みＴ１と同等に形成することもできる。
【００５１】
＜第３実施形態のパッド＞
次に、第３実施形態のパッドについて説明する。なお、第１実施形態のパッドと同一部材には、同一符号を付して説明を省略する。
【００５２】
図１３，１４に示すように、吸収体１２の内面には、吸収体１２の幅方向の中心部に、吸収体１２の前後方向の前後端部まで延在する第１溝２０（便宜的に第１溝２０Ａと言う）と、第１溝２０Ａの幅方向の左側部に幅方向に所定の間隔を隔てて吸収体１２の前後方向の前後端部まで円弧状に延在する第１溝２０（便宜的に第１溝２０Ｂと言う）と、第１溝２０Ａの幅方向の右側部に幅方向に所定の間隔を隔てて吸収体１２の前後方向の前後端部まで円弧状に延在する第１溝２０（便宜的に第１溝２０Ｃと言う）と、第１溝２０Ｂの幅方向の左側部に幅方向に所定の間隔を隔てて吸収体１２の前後方向の前後端部まで円弧状に延在する第１溝２０（便宜的に第１溝２０Ｄと言う）と、第１溝２０Ａの幅方向の右側部に幅方向に所定の間隔を隔てて吸収体１２の前後方向の前後端部まで円弧状に延在する第１溝２０（便宜的に第１溝２０Ｅと言う）から形成されている。なお、第１溝２０Ｂと第１溝２０Ｄは、円弧部の頂部を円弧部の前後端部よりも右側に形成され、第１溝２０Ｃと第１溝２０Ｅは、円弧部の頂部を円弧部の前後端部よりも左側に形成されている。また、第１溝２０Ａと第１溝２０Ｂの幅方向の間隔は、第１溝２０Ｂと第１溝２０Ｄの幅方向の間隔よりも狭く形成され、第１溝２０Ａと第１溝２０Ｃの幅方向の間隔は、第１溝２０Ｃと第１溝２０Ｅの幅方向の間隔よりも狭く形成されている。これにより、第１溝２０Ａを中心として吸収体１２の幅方向の両側部を内面に向けてより効率良く変形させることができる。
【００５３】
吸収体１２の外面のおける括れ部１２Ｄの前後方向の中心よりも前側の部位には、吸収体１２の前後方向に所定の間隔を隔てて、吸収体１２の幅方向の左右端部まで延在する円弧状の第２溝２５（便宜的に第２溝２５Ａと言う）が形成され、括れ部１２Ｄの前後方向の中心よりも後側の部位には、吸収体１２の前後方向に所定の間隔を隔てて、吸収体１２の幅方向の左右端部まで延在する円弧状の第２溝２５（便宜的に第２溝２５Ｂと言う）が形成されている。なお、第２溝２５Ａは、円弧部の頂部を円弧部の左右部よりも前後方向の後側に形成され、第２溝２５Ｂは、円弧部の頂部を円弧部の左右部よりも前後方向の前側に形成されている。これにより、吸収体１２を前身部１２Ｃの前端部から後身部１２Ｅの後端部までより容易に内面に向けて変形させることができる。
【産業上の利用可能性】
【００５４】
本発明は、使い捨ておむつの内面に装着されるパッドに利用できるものである。
【符号の説明】
【００５５】
１１      表面シート
１２      吸収体
１２Ａ    内側吸収体
１２Ｂ    外側吸収体
１２Ｄ    括れ部
２０      第１溝
２１      下部
２５      第２溝
２６      上部
Ｔ１      厚み
Ｄ１      深さ
【図１】
2019063010.tif 000003
【図２】
2019063010.tif 000004
【図３】
2019063010.tif 000005
【図４】
2019063010.tif 000006
【図５】
2019063010.tif 000007
【図６】
2019063010.tif 000008
【図７】
2019063010.tif 000009
【図８】
2019063010.tif 000010
【図９】
2019063010.tif 000011
【図１０】
2019063010.tif 000012
【図１１】
2019063010.tif 000013
【図１２】
2019063010.tif 000014
【図１３】
2019063010.tif 000015
【図１４】
2019063010.tif 000016